(57)【特許請求の範囲】
【請求項１】
原稿を読み取る読取部、画像を記録する記録部及び画像データ等を送受信する通信部の各構成要素が低消費電力待機モードを有し、常時動作状態を保ちファクシミリ装置全体を制御する制御手段と、各動作モードへ移行する起動要因を検出する起動要因検出手段とを有するファクシミリ装置において、
前記制御手段は、前記起動要因検出手段により起動要因を検出後低消費電力待機モードとなっていた前記各構成要素を起動して動作モードに移行する動作モード移行制御を実行し、動作後に前記各構成要素を個別に低消費電力待機モードに移行させる個別待機モード移行制御を実行し、
前記制御手段は、自動受信において、呼び出し信号検出に応じた通信部の起動、記録部の起動の順に動作モード移行制御を行い、自動受信制御を行い、自動受信終了後、通信部の低消費電力待機モードへの移行、記録部の低消費電力待機モードへの移行の順に個別待機モード移行制御を行うことを特徴とするファクシミリ装置。
【請求項２】
原稿を読み取る読取部、画像を記録する記録部及び画像データ等を送受信する通信部の各構成要素が低消費電力待機モードを有し、常時動作状態を保ちファクシミリ装置全体を制御する制御手段と、各動作モードへ移行する起動要因を検出する起動要因検出手段とを有するファクシミリ装置において、
前記制御手段は、前記起動要因検出手段により起動要因を検出後低消費電力待機モードとなっていた前記各構成要素を起動して動作モードに移行する動作モード移行制御を実行し、動作後に前記各構成要素を個別に低消費電力待機モードに移行させる個別待機モード移行制御を実行し、
前記制御手段は、自動送信において、宛先入力に応じた通信部の起動、原稿セットに応じた読取部の起動の順に動作モード移行制御を行い、自動送信制御を行い、自動送信終了後、通信部と読取部の個別待機モード移行制御を行うことを特徴とするファクシミリ装置。
【請求項３】
原稿を読み取る読取部、画像を記録する記録部及び画像データ等を送受信する通信部の各構成要素が低消費電力待機モードを有し、常時動作状態を保ちファクシミリ装置全体を制御する制御手段と、各動作モードへ移行する起動要因を検出する起動要因検出手段とを有するファクシミリ装置において、
前記制御手段は、前記起動要因検出手段により起動要因を検出後低消費電力待機モードとなっていた前記各構成要素を起動して動作モードに移行する動作モード移行制御を実行し、動作後に前記各構成要素を個別に低消費電力待機モードに移行させる個別待機モード移行制御を実行し、
前記制御手段は、手動送受信において、オンフックキー押下に応じた通信部の起動、送信又は受信を開始させるためのスタートキー押下に応じた読取部または記録部の起動の順に動作モード移行制御を行い、手動送受信制御を行い、手動送受信終了後、読取部または記録部の低消費電力待機モードへの移行、通信部の低消費電力待機モードへの移行の順に個別待機モード移行制御を行い、通信部の起動後、送信又は受信を開始させるためのスタートキーが押下されずオンフックを検出したことに応じて通信部を低消費電力待機モードへ移行する個別待機モード移行制御を行うことを特徴とするファクシミリ装置。
【発明の詳細な説明】
【０００１】
【発明の属する技術分野】
本発明は、低消費電力待機モードを有するファクシミリ装置に関する。
【０００２】
【従来の技術】
近年、環境保護の観点から、事務機の低消費電力化が求められている。通常、待機時間の長いファクシミリ装置においては、この状態における消費電力を軽減することが強く求められている。
【０００３】
図１０は、従来の低消費電力待機モードを有するファクシミリ装置の構成を示すブロック図である。同図において、８はファクシミリ装置で、第１システム８ａと、第２システム８ｂとを有している。
【０００４】
第１システム８ａは、第１制御部８１０、読取部８１１、記録部８１２、後述する第２制御部８０１との通信部８１３、通信部８１４、ＲＯＭ８１５、符号／復合化部８１６及びＲＡＭ８１７を有している。
【０００５】
第２システム８ｂは、第２制御部８０１、呼び出し信号検出部８０２、原稿検出部８０３、操作部８０４、第１制御部８１０との通信部８０５、表示部８０６、各各種状態検出部８０７、電源部８０８、時計計測部８０９を有している。
【０００６】
従来の低消費電力待機モードは、ファクシミリ装置全体に電力を供給する電源部、ファクシミリ装置のシステム（プリンタ、ディスプレイ等）を制御する第１制御部、キー入力や表示等の操作、交換機からの呼び出し信号を監視する第２制御部、第２制御部に電力を供給する２次電池から構成される。そして、待機時においては、第１制御部への電源供給を停止し、第２制御部で低消費電力待機モードを解除する起動要因を監視する。この起動要因を検出後、第１制御部に電力を供給して動作モードに移行するようになっている。
【０００７】
また、従来、２次電池によるメモリのバック・アップ回路をもつＣＰＵシステムでは、システムの立ち上げ時に、メモリ内のデータが保持されている保証がないため、システムの立ち上げ時にチェック・サム等によりメモリ・データの確認、または２次電池の電圧を検出する電圧検出手段を設けて、システムの立ち上げ時にメモリの保持電圧が確保されているか否かの確認のいずれかを行い、メモリ内のデータが正常か否かをユーザーへ知らせていた。
【０００８】
【発明が解決しようとする課題】
しかしながら、上述した方式を採用した従来のファクシミリ装置にあっては、システム全体を動作させるシステム制御部と、低消費電力待機モード解除の要因を監視するための監視制御部の計２つの制御部が必要であった。更に、後者の監視制御部には２次電池を使用しなければならず、低価格化を妨げていた。
【０００９】
また、従来のファクシミリ装置の方式では、低消費電力待機モードと、動作モードの２態様しか制御できない。このため、起動要因に拘らず全ての構成要素を起動する。従って、構成要素が低消費電力待機モード解除後の動作モードに移行するためには、全ての構成要素の起動が終了するまで待たなくてはならない。逆に、各構成要素が低消費電力待機モードへの移行条件を満たしていなければ、同モードへ移行できない。従って、このモードへの移行及び復帰を困難にし、待機時の消費電力低減を拒んでいた。
【００１３】
本発明は上述した従来技術の有するこのような問題点に鑑みてなされたものであり、その目的とするところは、低価格化を円滑に図ることができると共に、低消費電力待機モードへの移行及び復帰を迅速に行うことができ、しかも、さらなる低消費電力を図ることができるファクシミリ装置を提供しようとするものである。
【００１５】
【課題を解決するための手段】
上記目的を達成するために請求項１記載のファクシミリ装置は、原稿を読み取る読取部、画像を記録する記録部及び画像データ等を送受信する通信部の各構成要素が低消費電力待機モードを有し、常時動作状態を保ちファクシミリ装置全体を制御する制御手段と、各動作モードへ移行する起動要因を検出する起動要因検出手段とを有するファクシミリ装置において、前記制御手段は、前記起動要因検出手段により起動要因を検出後低消費電力待機モードとなっていた前記各構成要素を起動して動作モードに移行する動作モード移行制御を実行し、動作後に前記各構成要素を個別に低消費電力待機モードに移行させる個別待機モード移行制御を実行し、前記制御手段は、自動受信において、呼び出し信号検出に応じた通信部の起動、記録部の起動の順に動作モード移行制御を行い、自動受信制御を行い、自動受信終了後、通信部の低消費電力待機モードへの移行、記録部の低消費電力待機モードへの移行の順に個別待機モード移行制御を行うことを特徴とするものである。
【００１６】
また、上記目的を達成するために請求項２記載のファクシミリ装置は、原稿を読み取る読取部、画像を記録する記録部及び画像データ等を送受信する通信部の各構成要素が低消費電力待機モードを有し、常時動作状態を保ちファクシミリ装置全体を制御する制御手段と、各動作モードへ移行する起動要因を検出する起動要因検出手段とを有するファクシミリ装置において、前記制御手段は、前記起動要因検出手段により起動要因を検出後低消費電力待機モードとなっていた前記各構成要素を起動して動作モードに移行する動作モード移行制御を実行し、動作後に前記各構成要素を個別に低消費電力待機モードに移行させる個別待機モード移行制御を実行し、前記制御手段は、自動送信において、宛先入力に応じた通信部の起動、原稿セットに応じた読取部の起動の順に動作モード移行制御を行い、自動送信制御を行い、自動送信終了後、通信部と読取部の個別待機モード移行制御を行うことを特徴とするものである。
【００１７】
また、上記目的を達成するために請求項３記載のファクシミリ装置は、原稿を読み取る読取部、画像を記録する記録部及び画像データ等を送受信する通信部の各構成要素が低消費電力待機モードを有し、常時動作状態を保ちファクシミリ装置全体を制御する制御手段と、各動作モードへ移行する起動要因を検出する起動要因検出手段とを有するファクシミリ装置において、前記制御手段は、前記起動要因検出手段により起動要因を検出後低消費電力待機モードとなっていた前記各構成要素を起動して動作モードに移行する動作モード移行制御を実行し、動作後に前記各構成要素を個別に低消費電力待機モードに移行させる個別待機モード移行制御を実行し、前記制御手段は、手動送受信において、オンフックキー押下に応じた通信部の起動、送信又は受信を開始させるためのスタートキー押下に応じた読取部または記録部の起動の順に動作モード移行制御を行い、手動送受信制御を行い、手動送受信終了後、読取部または記録部の低消費電力待機モードへの移行、通信部の低消費電力待機モードへの移行の順に個別待機モード移行制御を行い、通信部の起動後、送信又は受信を開始させるためのスタートキーが押下されずオンフックを検出したことに応じて通信部を低消費電力待機モードへ移行する個別待機モード移行制御を行うことを特徴とするものである。
【００２９】
【発明の実施の形態】
以下、本発明の各実施の形態を図面に基づき説明する。
【００３０】
（第１の実施の形態）
まず、本発明の第１の実施の形態を図１〜図７に基づき説明する。
【００３１】
図１は、本発明の第１の実施の形態に係るファクシミリ装置の構成を示すブロック図であり、同図中、１はファクシミリ装置で、制御部１０１、ＲＯＭ（リードオンリーメモリ）１０２、ＲＡＭ（ランダムアクセスメモリ）１０３、各種状態検出部１０４、時計計測部１０５、読取部１０６、操作部１０７、記録部１０８、表示部１０９、通信部１１０、呼び出し信号検出部１１１及び電源部１１２を有し、以下、これらを必要に応じて構成要素と呼ぶ。
【００３２】
制御部１０１は、ファクシミリ装置１全体を制御するもので、ＲＯＭ１０２に格納されたプログラムに従って動作する。また、制御部１０１は、ＲＡＭ１０３に各種のデータ（ユーザーデータ、画像データ等）を格納したり読み出したりする。ＲＯＭ１０２は、ファクシミリ装置１全体を制御するための制御部１０１が実行するプログラムを格納している。ＲＡＭ１０３は、各種のデータ（ユーザーデータ、画像データ等）を格納するものである。
【００３３】
各種状態検出部１０４は、ファクシミリ装置１の状態を検出するもので、制御部１０１にファクシミリ装置１の状態データ（記録紙の有無、カートリッジの有無、インクやカートリッジの残量検出、電話機のオフフック、原稿のセット等）を送るものである。例えば、電話機のオフフックが検出されると、制御部１０１により通信部１１０を起動する。また、読取部１０６に原稿がセットされたことを検出すると、制御部１０１により記録部１０８を起動する。また、記録紙無し、カートリッジ未装着、カートリッジのインク無し、読取部１０６への原稿セット、電話機のオフフック状態を検出すると、制御部１０１により各システム（構成要素）を消費電力待機モードに移行しないように制御する。
【００３４】
時計計測部１０５は、時間を計測するもので、その計測結果は、制御部１０１により表示部１０９に表示される。読取部１０６は、原稿の画像を読み取るもので、その読み取りデータはＲＡＭ１０３に格納される。また、読取部１０６は、制御部１０１により電源部１１２からの電力の供給及び停止をコントロールされる。
【００３５】
操作部１０７は、各種の情報を入力するもので、画像の送／受信等を開始させるためのキー、各種操作モードを指定するキー、ダイヤル用キー等から構成される。操作部１０７のテンキーや相手先電話番号が登録されているワンタッチ／短縮キー、リダイヤルキー、ポーズキー、オンフックキー等の通信を行うためのキーや、時刻指定送信予約キーやポーリング送／受信キー、ＩＴＵ−Ｔに準拠したサブアドレス／パスワード送信キー、ＲＡＭ１０３に蓄積された原稿画像の画像指定送信キー等の送／受信予約キーが押下されると、制御部１０１により通信部１１０を起動させる。また、通信管理リストやユーザー登録のデータリストを出力するレポートキーが押下されると、制御部１０１により記録部１０８を起動させる。原稿がセットされた状態でコピーキーが押下されると、制御部１０１により読取部１０６と記録部１０８を起動させる。
【００３６】
記録部１０８は、読取部１０６により読み取られた画像データ、或は通信部１１０より受信した画像データを記録するものである。記録部１０８は、制御部１０１により低消費電力待機モードに移行させることができる。表示部１０９は、制御部１０１から送られる日付、時間、或は文字等を表示するものである。通信部１１０は、制御部１０１の制御に基づいて読取部１０６から得られた画像データを変調し、回線を通して相手機へ電送するものである。また、同様に、通信部１１０は、相手機からの画像データを復調し、得られたデータをＲＡＭ１０３に格納する。この通信部１１０は、制御部１０１の制御により低消費電力待機モードへの移行及び電源部１１２からの電力供給及び停止をコントロールされる。
【００３７】
呼び出し信号検出部１１１は、通信部１１０を介して到来する呼び出し信号を検出し、この出力制御部１０１へ送出する。呼び出し信号を検出すると、制御部１０１により通信部１１０と記録部１０８を起動させる。電源部１１２は、ファクシミリ装置１の駆動電力の供給源である。
【００３８】
次に、本実施の形態に係るファクシミリ装置１における低消費電力待機モードから自動受信動作に移行した後、再び低消費電力待機モードに移行する場合の動作について、図２のフローチャートを用いて説明する。
【００３９】
なお、このフローチャートを実行するためのプログラムはＲＯＭ１０２内に格納され、このプログラムが制御部１０１により読み出されて、図２のフローチャートに基づく処理が実行されるものである。
【００４０】
まず、ステップＳ２０１で呼び出し信号検出部１１１により呼び出し信号を検出したか否かを、検出するまで判断する。そして、呼び出し信号を検出するとステップＳ２０２で制御部１０１の制御により通信部１１０に電力供給を開始する。次に、ステップＳ２０３で通信部１１０を起動させる。次に、ステップＳ２０４で受信画像記録のため、制御部１０１の制御により記録部１０８を低消費電力待機モードから起動させる。このとき、受信動作には不要な読取部１０６は、低消費電力待機モードのままとし、電力消費を抑制する。このようにして通信部１１０及び読取部１０６を起動させた後、ステップＳ２０５で受信動作を開始する。
【００４１】
その後、ステップＳ２０６で受信画像データの記録を開始する。次に、ステップＳ２０７で受信が終了したか否かを、終了するまで判断する。そして、受信が終了した場合は、ステップＳ２０８で受信画像の出力が終了したか否かを、終了するまで判断する。そして、受信画像の出力が終了した場合は、ステップＳ２０９で通信部１１０を低消費電力待機モードへ移行させる。次に、ステップＳ２１０で通信部１１０への電源の供給を停止する。次に、ステップＳ２１１で記録部１０８を低消費電力待機モードへ移行させ、次のステップＳ２１２で記録部１０８への電源の供給を停止し、次のステップＳ２１３でファクシミリ装置１が低消費電力待機モードへ移行した後、本処理動作を終了する。
【００４２】
次に、本実施の形態に係るファクシミリ装置１における低消費電力待機モードから自動送信動作に移行した後、再び低消費電力待機モードに移行する場合の動作について、図３のフローチャートを用いて説明する。
【００４３】
なお、このフローチャートを実行するためのプログラムはＲＯＭ１０２内に格納され、このプログラムが制御部１０１により読み出されて、図３のフローチャートに基づく処理が実行されるものである。
【００４４】
まず、ステップＳ３０１で操作部１０７において０〜９、＊、＃のテンキーによる宛先入力があったか否かを判断する。そして、宛先入力がない場合は、ステップＳ３０２で操作部１０７において宛先登録されたワンタッチ／短縮キーが押下されたか否かを判断する。そして、ワンタッチ／短縮キーが押下されない場合は、前記ステップＳ３０１へ戻り、また、ワンタッチ／短縮キーが押下された場合は、ステップＳ３０３へ進む。また、前記ステップＳ３０１おいてテンキーによる宛先入力があった場合もステップＳ３０３へ進む。
【００４５】
ステップＳ３０３では、制御部１０１の制御により通信部１１０に電源の供給を開始し、次のステップＳ３０４で通信部１１０を起動させる。次に、ステップＳ３０５で各種状態検出部１０４により原稿がセットされたことを検出したか否かを検出されるまで判断する。そして、原稿がセットされたことを検出した場合は、ステップＳ３０６で読取部１０６への電源の供給を開始する。次に、ステップＳ３０７で読取部１０６を起動させ、次のステップＳ３０８で送信動作を開始する。
【００４６】
次に、ステップＳ３０９で送信動作が終了したか否かを、終了するまで判断し、終了した場合は、次のステップＳ３１０でＲＡＭ１０３に設定されている登録データに従い送信結果レポートを出力するか否かを判断する。そして、送信結果レポートを出力しない場合は、ステップＳ３１１で通信部１１０を低消費電力待機モードへ移行させる。次に、ステップＳ３１２で通信部１１０への電源の供給を停止し、次のステップＳ３１３で読取部１０６を低消費電力待機モードへ移行させる。次に、ステップＳ３１４で読取部１０６への電源の供給を停止し、次のステップＳ３１５でファクシミリ装置１が低消費電力待機モードへ移行した後、本処理動作を終了する。
【００４７】
一方、前記ステップＳ３１０において送信結果レポートを出力する場合は、ステップＳ３１６で記録部１０８を起動させる。次に、ステップＳ３１７で送信結果レポートを記録し、次のステップＳ３１８で送信結果レポートの出力が終了したか否かを、終了するまで判断する。そして、送信結果レポートの出力が終了した場合は、次のステップＳ３１９で記録部１０８を低消費電力待機モードへ移行させ、次のステップＳ３２０で記録部１０８への電源の供給を停止した後、前記ステップＳ３１１へ進み、通信部１１０を低消費電力待機モードへ移行させる。
【００４８】
次に、本実施の形態に係るファクシミリ装置１における低消費電力待機モードから手動受信、または手動送信動作に移行した後、再び低消費電力待機モードに移行する場合の動作について、図４〜図６のフローチャートを用いて説明する。
【００４９】
なお、このフローチャートを実行するためのプログラムはＲＯＭ１０２内に格納され、このプログラムが制御部１０１により読み出されて、図４〜図６のフローチャートに基づく処理が実行されるものである。
【００５０】
まず、図４において、ステップＳ４０１で各状態検出部１０４により小電話機のオフフックが検出されたか否かを判断する。そして、小電話機のオフフックが検出されない場合は、ステップＳ４０２で操作部１０７のオンフックキーが押下されたか否かを判断する。そして、オンフックキーが押下されない場合は、前記ステップＳ４０１へ戻り、また、オンフックキーが押下された場合、及び前記ステップＳ４０１において小電話機のオフフックが検出された場合は、いずれもステップＳ４０３へ進む。
【００５１】
このステップＳ４０３では、通信部１１０への電源供給を開始し、次のステップＳ４０４で通信部１１０を起動させる。次に、ステップＳ４０５で操作部１０７のスタートキーが押下されたか否かを判断する。そして、スタートキーが押下されない場合は、ステップＳ４０６で操作部１０７のテンキー或はワンタッチ／短縮キーによる宛先入力がなされたか否かを判断する。そして、宛先入力がなされない場合は、前記ステップＳ４０５へ戻り、また、宛先入力がなされた場合は、ステップＳ４０７で発呼し、相手機が応答すると通話状態になる。
【００５２】
次に、この通話状態でステップＳ４０８で操作部１０７のスタートキーが押下されたか否かを判断する。そして、スタートキーが押下されない場合は、ステップＳ４０９で各状態検出部１０４により小電話機のオンフックが検出されたか否かを判断する。そして、小電話機のオンフックが検出されない場合は、前記ステップＳ４０８へ戻り、検出された場合は、ステップＳ４１０で通信部１１０を低消費電力待機モードへ移行させる。次に、ステップＳ４１１で通信部１１０への電源の供給を停止し、次のステップＳ４１２でファクシミリ装置１が低消費電力待機モードへ移行し、その後、本処理動作を終了する。
【００５３】
一方、前記ステップＳ４０５においてスタートキーが押下された場合は、図５におけるステップＳ４２６で記録部１０８を起動させ、次のステップＳ４２７で受信動作を開始し、次のステップＳ４２８で受信画像の記録を開始する。次に、ステップＳ４２９で受信動作が終了したか否かを、終了するまで判断し、終了した場合は、次のステップＳ４３０で全ての受信画像の出力が終了したか否かを、終了するまで判断し、終了した場合は、次のステップＳ４３１で記録部１０８を低消費電力待機モードへ移行させる。次に、ステップＳ４３２で記録部１０８への電源供給を停止し、その後、前記図４のステップＳ４０１へ戻る。
【００５４】
一方、前記図４のステップＳ４０８においてスタートキーが押下された場合は、図６におけるステップＳ４１３で各状態検出部１０４により原稿がセットされたことが検出されたか否かを判断し、検出されない場合は、前記図５のステップＳ４２６へ進み、また、検出された場合は、図６におけるステップＳ４１４で読取部１０６への電源の供給を開始し、次のステップＳ４１５で読取部１０６を起動させ、次のステップＳ４１６で送信動作を開始する。次に、ステップＳ４１７で送信動作が終了したか否かを、終了するまで判断し、終了した場合は、次のステップＳ４１８でＲＡＭ１０３に設定されている登録データに従い送信結果レポートを出力するか否かを判断する。そして、送信結果レポートを出力しない場合は、ステップＳ４１９で読取部１０６を低消費電力待機モードへ移行させ、次のステップＳ４２０で読取部１０６への電力の供給を停止し、その後、前記図４のステップＳ４１０へ進む。
【００５５】
一方、前記図６のステップＳ４１８において送信結果レポートを出力する場合は、ステップＳ４２１で記録部１０８を起動させ、次のステップＳ４２２で送信結果レポートを記録する。次に、ステップＳ４２３で送信結果レポートの出力を終了したか否かを、終了するまで判断し、終了した場合は、ステップＳ４２４で記録部１０８を低消費電力待機モードへ移行させ、次のステップＳ４２５で読取部１０６への電力の供給を停止し、その後、前記ステップＳ４１９へ進む。
【００５６】
次に、本実施の形態に係るファクシミリ装置１における低消費電力待機モードからコピー動作に移行した後、再び低消費電力待機モードに移行する場合の動作について、図７のフローチャートを用いて説明する。
【００５７】
なお、このフローチャートを実行するためのプログラムはＲＯＭ１０２内に格納され、このプログラムが制御部１０１により読み出されて、図７のフローチャートに基づく処理が実行されるものである。
【００５８】
まず、ステップＳ５０１で各状態検出部１０４により原稿が読み取りのためにＡＤＦ（自動原稿搬送装置）にセットされたことが検出されたか否かを、検出されるまで判断する。そして、セットされたことが検出された場合は、次のステップＳ５０２で操作部１０７のコピーキーが押下されたか否かを判断する。そして、コピーキーが押下されない場合は、前記ステップＳ５０１へ戻り、また、押下された場合は、次のステップＳ５０３で読取部１０６への電源の供給を開始する。次に、ステップＳ５０４で読取部１０６を起動させ、次のステップＳ５０５で記録部を起動させ、次のステップＳ５０６でコピー動作を開始する。次に、ステップＳ５０７でコピー動作が終了したか否かを、終了するまで判断する。そして、コピー動作が終了した場合は、次のステップＳ５０８で記録部１０８を低消費電力待機モードへ移行させ、次のステップＳ５０９で記録部１０８への電力の供給を停止し、その後、次のステップＳ５１０へ進む。
【００５９】
このステップＳ５１０では、読取部１０６を低消費電力待機モードへ移行させ、次のステップＳ５１１で読取部１０６への電力の供給を停止し、次のステップＳ５１２でファクシミリ装置１が低消費電力待機モードへ移行し、その後、本処理動作を終了する。
【００６０】
（第２の実施の形態）
次に、本発明の第２の実施の形態を図８及び図９に基づき説明する。図８は、本発明の第２の実施の形態に係るメモリのバック・アップ装置の構成を示すブロック図であり、同図において、６０１は、ＣＰＵ（中央演算処理装置）で、システム・バス・ライン６１０を介してバック・アップ対象であるメモリ６０２に接続されている。このメモリ６０２への電源は、２次電池６０５の電圧をメモリ６０２の電源電圧に交換するＤＣ／ＤＣコンバータ６０３を経由して供給される。２次電池６０５への充電は、電源オン（ＯＮ）時に抵抗６０７とダイオード６０６とからなる充電回路で電源電圧出力（Ｖｃｃ）６０９により行われる。
【００６１】
一方、２次電池６０５の電圧は、電圧検出回路６０４へも入力され、メモリ６０２のデータ保持電圧を保証するため基準電圧発生回路６０８と比較され、その比較結果がＣＰＵ６０１へ入力される。
【００６２】
次に、上記構成になるメモリのバック・アップ装置の動作を図９に基づき説明する。図９は、メモリのバック・アップ装置の動作制御手順を示すフローチャートである。
【００６３】
まず、電源オン（ＯＮ）によりＣＰＵ６０１の制御動作がスタートし、ステップＳ７０１で２次電池６０５の電圧を電圧検出回路６０４へ入力し、電源オフ（ＯＦＦ）中に２次電池６０５の出力電圧がどこまで下がったかを検出する。次に、ステップＳ７０２で２次電池６０５の出力電圧が、基準電圧発生回路６０８により発生される基準電圧、即ちメモリ６０２のデータ保持電圧を保証するためのデータ保持電圧と比較され、２次電池６０５の出力電圧が前記データ保持電圧以上か否かを判断する。そして、２次電池６０５の出力電圧が前記データ保持電圧以上の場合は、メモリ６０２のデータは保持されているものと判断され、本装置が本来行う動作をスタートする。
【００６４】
一方、前記ステップＳ７０２において２次電池６０５の出力電圧が前記データ保持電圧以下の場合は、ステップＳ７０３でＣＰＵ６０１は、メモリ６０２のデータ内容を公知のチェック・サム等の技術によりチェックし、ステップＳ７０４でＣＰＵ６０１は、データ・エラーか否かを判断する。そして、データ・エラーでない場合は、本装置が本来行う動作をスタートし、また、データ・エラーである場合は、ステップＳ７０５でメモリ６０２のイニシャライズやユーザーへの警告等のエラー処理を行った後、本装置が本来行う動作をスタートする。
【００６５】
これにより、２次電池６０５の電圧を判断する基準電圧発生回路６０８は、判断処理が再度入るため、それ程精度の高いものを用いなくても良くなり、装置全体を安価にすることができる。
【００６６】
また、２次電池６０５の電圧が基準電圧以下の場合のみ、ＣＰＵ６０１によりメモリ６０２のデータ内容のチェックを行い、データ・エラーの判断を行うという制御を行うことにより、通常の短い電源オフによるバック・アップからのシステム立ち上げ時は、メモリ６０２の容量が大きくても２次電池６０５の電圧が基準電圧以上であれば素早く立ち上がるため、ユーザーを待たせることがない。また、通常より長い電源オフによるバック・アップからのシステム立ち上げ時も、たとえ、２次電池６０５の電圧が基準電圧以下でも、メモリ６０２のデータ内容のチェックが再度行われるため、システムの立ち上げに時間はかかるが、メモリのデータ内容が正常の場合、それを利用することができるため、ユーザーの被害は最小限にと止めることができる。
【００６７】
【発明の効果】
以上詳述したように本発明のファクシミリ装置によれば、装置全体を制御する装置制御部は、常時動作状態を保ち、待機状態が所定時間以上経過した場合に各構成要素を低消費電力待機モードに移行させ、各動作モードへ移行する起動要因を検出後に低消費電力待機モードとなっていた前記各構成要素を起動して動作モードに移行するので、低価格化を円滑に図ることができると共に、低消費電力待機モードヘの移行及び復帰を迅速に行うことができ、しかも、さらなる低消費電力を図ることができるという効果を奏する。
【図面の簡単な説明】
【図１】本発明の第１の実施の形態に係るファクシミリ装置の構成を示すブロック図である。
【図２】同ファクシミリ装置における自動受信時における低消費電力待機モードからの復帰動作制御手順を示すフローチャートである。
【図３】同ファクシミリ装置における自動送信時における低消費電力待機モードからの復帰動作制御手順を示すフローチャートである。
【図４】同ファクシミリ装置における手動送信／受信時における低消費電力待機モードからの復帰動作制御手順を示すフローチャートである。
【図５】同ファクシミリ装置における手動送信／受信時における低消費電力待機モードからの復帰動作制御手順を示すフローチャートである。
【図６】同ファクシミリ装置における手動送信／受信時における低消費電力待機モードからの復帰動作制御手順を示すフローチャートである。
【図７】同ファクシミリ装置におけるコピー時における低消費電力待機モードからの復帰動作制御手順を示すフローチャートである。
【図８】本発明の第２の実施の形態に係るメモリのバックアップ装置の構成を示すブロック図である。
【図９】同実施の形態に係るメモリのバックアップ装置の動作制御手順を示すフローチャートである。
【図１０】従来のファクシミリ装置の構成を示すブロック図である。
【符号の説明】
１      ファクシミリ装置
１０１  制御部
１０２  ＲＯＭ
１０３  ＲＡＭ
１０４  各種状態検出部
１０５  時計計測部
１０６  読取部
１０７  操作部
１０８  記録部
１０９  表示部
１１０  通信部
１１１  呼出信号検出部
１１２  電源部
６０１  ＣＰＵ
６０２  メモリ
６０３  ＤＣ／ＤＣコンバータ
６０４  電圧検出回路
６０５  ２次電池
６０６  ダイオード
６０７  抵抗
６０８  基準電圧発生回路
６０９  電源電圧出力
６１０  システム・バス・ライン
【図１】
0003984667.tif 000002
【図２】
0003984667.tif 000003
【図３】
0003984667.tif 000004
【図４】
0003984667.tif 000005
【図５】
0003984667.tif 000006
【図６】
0003984667.tif 000007
【図７】
0003984667.tif 000008
【図８】
0003984667.tif 000009
【図９】
0003984667.tif 000010
【図１０】
0003984667.tif 000011